(57)【要約】  【課題】パワーキャリブレーション領域（ＰＣＡ）を有する書換え可能型の光ディスクに情報を記録する光ディスク装置において、光ディスクのＰＣＡの最内周に使用可能領域が存在せず、使用可能領域の検出が困難な場合にも最適記録パワーに基づくＤＣイレースを実行してＰＣＡを使用可能領域に再生する。  【解決手段】ＯＰＣ開始時に、光ピックアップをＰＣＡの最内周位置から外周方向へシーク移動させ（Ｓ２）、ＲＦ信号が検出された位置のアドレスを記憶する（Ｓ３）。記憶したアドレスが、ＰＣＡの最内周アドレスと同一である場合（Ｓ４でＹＥＳ）、及び記憶したアドレスとＰＣＡの最内周の間の使用可能領域が１回のＯＰＣの実行に必要とする量以下であれば（Ｓ５でＮＯ）、使用済み領域となっているＰＣＡの最内周位置において上書きで最適記録パワーの取得動作を行い（Ｓ８）、取得した最適記録パワーに基づいてＤＣイレースを実行する（Ｓ９）。【選択図】図３
2006236456.tif 000002
【特許請求の範囲】
【請求項１】
最適記録パワーを調整するためのパワーキャリブレーション領域を有する書換え可能型光ディスクに、前記パワーキャリブレーション領域を用いて調整した最適記録パワーによって情報を記録又は消去する光ピックアップと、
前記最適記録パワーの調整開始時に、前記光ピックアップを前記パワーキャリブレーション領域の最内周から外周方向へとシーク移動させ、そのシーク移動中に前記光ピックアップが受光するレーザ光の再生信号に基づいて前記パワーキャリブレーション領域の使用済み領域の内周端位置を検出する使用済み領域検出手段と、
前記使用済み領域検出手段によって検出した使用済み領域の内周端位置に基づいてパワーキャリブレーション領域の残りの使用可能領域が、１回の最適記録パワー調整に必要な量にまで減少しているか否かを判断するＤＣイレースの要否判断手段と、
前記要否判断手段により前記パワーキャリブレーション領域の残りの使用可能領域が１回の最適記録パワー調整に必要な量にまで減少していると判断された場合に、その残りの使用可能領域を用いて最適記録パワー調整を実行し、得られた最適記録パワーに基づいて前記使用済み領域の記録をＤＣイレースするＤＣイレース手段と、を備えた光ディスク装置において、
前記最適記録パワーの調整開始時に、前記使用済み領域検出手段によって検出した使用済み領域の内周端位置が前記パワーキャリブレーション領域の最内周位置に一致する場合に、前記パワーキャリブレーション領域の最内周において前記使用済み領域に上書きで最適記録パワー調整を実行して最適記録パワーを取得する、最適記録パワー取得手段を備え、
前記最適記録パワー取得手段によって得た最適記録パワーに基づき、前記ＤＣイレース手段によって前記パワーキャリブレーション領域の記録を消去することを特徴とする光ディスク装置。
【請求項２】
最適記録パワーを調整するためのパワーキャリブレーション領域を有する書換え可能型光ディスクに、前記パワーキャリブレーション領域を用いて調整した最適記録パワーによって情報を記録又は消去する光ピックアップと、
前記最適記録パワーの調整開始時に、前記光ピックアップを前記パワーキャリブレーション領域の最内周から外周方向へとシーク移動させ、そのシーク移動中に前記光ピックアップが受光するレーザ光の再生信号に基づいて前記パワーキャリブレーション領域の使用済み領域の内周端位置を検出する使用済み領域検出手段と、
前記使用済み領域検出手段によって検出した使用済み領域の内周端位置に基づいてパワーキャリブレーション領域の残りの使用可能領域が、１回の最適記録パワー調整に必要な量にまで減少しているか否かを判断するＤＣイレースの要否判断手段と、
前記要否判断手段により前記パワーキャリブレーション領域の残りの使用可能領域が１回の最適記録パワー調整に必要な量にまで減少していると判断された場合に、その残りの使用可能領域を用いて最適記録パワー調整を実行し、得られた最適記録パワーに基づいて前記使用済み領域の記録をＤＣイレースするＤＣイレース手段と、を備えた光ディスク装置において、
前記最適記録パワーの調整開始時に、前記使用済み領域検出手段によって検出した使用済み領域の内周端位置が前記パワーキャリブレーション領域の最内周位置に一致又は近接する場合に、前記パワーキャリブレーション領域の最内周において前記使用済み領域に上書きで最適記録パワー調整を実行して最適記録パワーを取得する、最適記録パワー取得手段を備え、
前記最適記録パワー取得手段によって得た最適記録パワーに基づき、前記ＤＣイレース手段によって前記パワーキャリブレーション領域の記録を消去することを特徴とする光ディスク装置。
【請求項３】
前記最適記録パワー取得手段は、前記使用済み領域検出手段によって検出した使用済み領域の内周端位置と、パワーキャリブレーション領域の最内周位置との差分量が、１回の最適記録パワー調整に必要な領域の量以下である場合に、前記パワーキャリブレーション領域の最内周において、前記使用済み領域に重なる部分については上書きで最適記録パワー調整を実行して最適記録パワーを得ることを特徴とする請求項２に記載の光ディスク装置。
【発明の詳細な説明】
【技術分野】
【０００１】
本発明は、最適な記録パワーを調整するためのパワーキャリブレーション領域を有する書換え可能型の光ディスクに情報を記録する光ディスク装置に関する。
【背景技術】
【０００２】
ＤＶＤ−Ｒ、ＤＶＤ−ＲＷ等の追記型及び書き換え可能型光ディスクには、記録時のレーザ光のパワーを最適値に調整するためのパワーキャリブレーション領域が設けられており、このパワーキャリブレーション領域（以下、ＰＣＡという）に異なったパワーのレーザ光で試し書きをし、それを再生することにより最適な記録パワーを取得できるようになっている。ＤＶＤ−ＲＷ等の書換え可能型の光ディスクでは、このＰＣＡへの試し書きを行ったデータを消去することができ、最適記録パワー調整（以下、ＯＰＣという）を繰返した結果、試し書きのためのＰＣＡの空きスペース（使用可能領域）がなくなった場合には、ＰＣＡ内の試し書きデータを消去して空きスペースを作成でき、ＯＰＣが不可能になってしまわないようにしている。一方、ＤＶＤ−Ｒ等の追記型（記録したデータを消去して、そこに新たなデータを書き込むことが不可能な型）光ディスクでは、ＰＣＡに記録した試し書きのデータを消去することができないので、最適記録パワー調整の可能な回数には上限がある。
【０００３】
書換え可能型の光ディスクにおいて、ＯＰＣを繰返した結果ＰＣＡの空きスペースがなくなった場合に、ＰＣＡ内の試し書きデータを消去する動作（ＰＣＡの使用済み領域を使用可能領域に再生させる動作）は、パルス状ではない一定のパワー（直流電圧）を用いて行うことからＤＣイレースと呼ばれており、このＤＣイレースを実行する時のパワーの値も、ＰＣＡを用いて取得した最適記録パワーに基づいて設定される。従って、ＰＣＡ内のスペースに試し書きデータを繰り返し記録する場合に、通常は１回分のＯＰＣを実行できる程度の空きスペースを残している。
【０００４】
一方、ＰＣＡの全領域を一旦使い切った後、次のＯＰＣで使用するＰＣＡの領域をランダムに設定する技術がある。この技術の場合にはＰＣＡの特定の領域の使用回数が突出して多くなる虞があることから、試し書きをした後に、その都度、試し書き領域の先頭から内周側にかけて一定の区間を消去して空きスペースを作成し、ＰＣＡの全領域が使い切られた後にも、この空きスペースを検索すれば、次の試し書き領域が容易に設定できるようにした技術が開発されている（例えば、特許文献１参照）。
【０００５】
また、ＤＣイレースを実行した後に、試し書きデータの消し残りが生じないようにするために、ＤＣイレースのパワー値を、ＤＣイレース後のＰＣＡからの再生信号を用いてより的確なものに設定する技術が知られている（例えば、特許文献２参照）。
【０００６】
さらに、書換え可能な光ディスクに対する消去用レーザ出力を適正な値にするために、レーザ出力を変化させて照射し、照射部分の平均の反射率を測定することによって、最適な消去用レーザ出力を決定する技術が知られている（例えば、特許文献３参照）。
【特許文献１】特開２００３−２７２１５７号公報
【特許文献２】特開平１０−１３４３８９号公報
【特許文献３】特開２００１−２２９５６３号公報
【発明の開示】
【発明が解決しようとする課題】
【０００７】
書換え可能型の光ディスクにおいて、ＰＣＡに繰り返し試し書きデータを記録する手順は、外周側から内周側へと連続して使用することが、規定により推奨されている。従って、ＯＰＣの開始時にＰＣＡの空きスペース（使用可能領域）を検出するために、光ピックアップをＰＣＡの最内周位置から外周方向へシーク移動させ、その移動中の光ピックアップが受光するレーザ光の再生信号に基づき、再生信号を検出した時点のアドレスを、試し書きデータが記録された領域（使用済み領域）の内周端として認識する。
【０００８】
なお、ＰＣＡ内には、最後に実行したＯＰＣで使用した領域のアドレスを記録するＲＭＡ（レコーディングマネージメント領域）と呼ばれる領域が設けられており、このＲＭＡ内のアドレスを読み出せば、使用済み領域のアドレスが取得できるが、このＲＭＡに記録されたアドレスは常に最新のアドレスに更新されているとは限らない。従って、ＰＣＡ内の使用可能領域を確実に検出するためには、一般的に上述の手順が採られる。
【０００９】
ＰＣＡ内の使用可能領域が特定できれば、前述の規定に従って、その使用可能領域における最も外周寄り位置（使用済み領域に隣接する位置）においてＯＰＣを実行する。使用可能領域が、１回のＯＰＣを実行できる程度しか残っていない場合には、ＰＣＡはほぼ使い切られた状態であるので、その使用可能領域においてＯＰＣを実行し、取得した最適記録パワーに基づいてＤＣイレースを行う。ＤＣイレースを行えば、ＰＣＡ内の全領域が再び使用可能領域となる。
【００１０】
書換え可能型光ディスクのＰＣＡにおける試し書きデータの記録の手順、使用可能領域の検出手順及びＰＣＡがほぼ使い切られた時のＤＣイレースの実行手順等は、上述のとおりであるが、光ディスクは異なった光ディスク装置に装着可能であることから、１枚の光ディスクを機能の異なる（特にＤＣイレースの実行手順が異なる）光ディスク装置間に亘って使用する場合には、次のトラブルが生じる虞がある。
【００１１】
つまり、今、ある光ディスク装置Ａは、ＤＣイレースの手順が上記手順とは異なり、一旦ＰＣＡの全領域が使い切られた後は、ランダムに選択された位置を部分的に消去する手順であったとする。また、別の光ディスク装置Ｂは、前述の手順どおりに動作する装置であったとする。そして、光ディスク装置ＡでＰＣＡのランダムな位置（例えば、後述する図５（ａ）に示したような中間部分）に使用可能領域が形成された光ディスクを取り出して別の光ディスク装置Ｂへ装着し、記録又は消去動作を行う場合を想定すると、光ディスク装置Ｂでは、ＰＣＡの内周寄り位置に使用可能領域（空きスペース）が存在しないので、使用可能領域を検出できずエラーとなりＯＰＣが行えなくなってしまうトラブルが生じる。
【００１２】
本発明は、ＰＣＡを有する書換え可能型の光ディスクに情報を記録する光ディスク装置における上記のトラブルが生じないように創案されたものであり、使用可能領域がＰＣＡ内の如何なる位置に形成されているかに関わらず、その光ディスクを装着して記録又は消去動作を開始する時に、ＰＣＡ内の使用可能領域が検出できないことからＯＰＣが実行不能となってしまうことがなく、常に適正に使用可能領域（空きスペース）が確保できてＯＰＣの実行が可能な光ディスク装置を提供することを目的とする。
【課題を解決するための手段】
【００１３】
上記目的を達成するための請求項１の発明は、最適記録パワーを調整するためのパワーキャリブレーション領域を有する書換え可能型光ディスクに、前記パワーキャリブレーション領域を用いて調整した最適記録パワーによって情報を記録又は消去する光ピックアップと、前記最適記録パワーの調整開始時に、前記光ピックアップを前記パワーキャリブレーション領域の最内周から外周方向へとシーク移動させ、そのシーク移動中に前記光ピックアップが受光するレーザ光の再生信号に基づいて前記パワーキャリブレーション領域の使用済み領域の内周端位置を検出する使用済み領域検出手段と、前記使用済み領域検出手段によって検出した使用済み領域の内周端位置に基づいてパワーキャリブレーション領域の残りの使用可能領域が、１回の最適記録パワー調整に必要な量にまで減少しているか否かを判断するＤＣイレースの要否判断手段と、前記要否判断手段により前記パワーキャリブレーション領域の残りの使用可能領域が１回の最適記録パワー調整に必要な量にまで減少していると判断された場合に、その残りの使用可能領域を用いて最適記録パワー調整を実行し、得られた最適記録パワーに基づいて前記使用済み領域の記録をＤＣイレースするＤＣイレース手段と、を備えた光ディスク装置において、前記最適記録パワーの調整開始時に、前記使用済み領域検出手段によって検出した使用済み領域の内周端位置が前記パワーキャリブレーション領域の最内周位置に一致する場合に、前記パワーキャリブレーション領域の最内周において前記使用済み領域に上書きで最適記録パワー調整を実行して最適記録パワーを取得する、最適記録パワー取得手段を備え、前記最適記録パワー取得手段によって得た最適記録パワーに基づき、前記ＤＣイレース手段によって前記パワーキャリブレーション領域の記録を消去することを特徴とする。
【００１４】
請求項２の発明は、最適記録パワーを調整するためのパワーキャリブレーション領域を有する書換え可能型光ディスクに、前記パワーキャリブレーション領域を用いて調整した最適記録パワーによって情報を記録又は消去する光ピックアップと、前記最適記録パワーの調整開始時に、前記光ピックアップを前記パワーキャリブレーション領域の最内周から外周方向へとシーク移動させ、そのシーク移動中に前記光ピックアップが受光するレーザ光の再生信号に基づいて前記パワーキャリブレーション領域の使用済み領域の内周端位置を検出する使用済み領域検出手段と、前記使用済み領域検出手段によって検出した使用済み領域の内周端位置に基づいてパワーキャリブレーション領域の残りの使用可能領域が、１回の最適記録パワー調整に必要な量にまで減少しているか否かを判断するＤＣイレースの要否判断手段と、前記要否判断手段により前記パワーキャリブレーション領域の残りの使用可能領域が１回の最適記録パワー調整に必要な量にまで減少していると判断された場合に、その残りの使用可能領域を用いて最適記録パワー調整を実行し、得られた最適記録パワーに基づいて前記使用済み領域の記録をＤＣイレースするＤＣイレース手段と、を備えた光ディスク装置において、前記最適記録パワーの調整開始時に、前記使用済み領域検出手段によって検出した使用済み領域の内周端位置が前記パワーキャリブレーション領域の最内周位置に一致又は近接する場合に、前記パワーキャリブレーション領域の最内周において前記使用済み領域に上書きで最適記録パワー調整を実行して最適記録パワーを取得する、最適記録パワー取得手段を備え、前記最適記録パワー取得手段によって得た最適記録パワーに基づき、前記ＤＣイレース手段によって前記パワーキャリブレーション領域の記録を消去することを特徴とする。
【００１５】
請求項３の発明は、請求項２の発明において、前記最適記録パワー取得手段が、前記使用済み領域検出手段によって検出した使用済み領域の内周端位置と、パワーキャリブレーション領域の最内周位置との差分量が、１回の最適記録パワー調整に必要な領域の量以下である場合に、前記パワーキャリブレーション領域の最内周において、前記使用済み領域に重なる部分については上書きで最適記録パワー調整を実行して最適記録パワーを得ることを特徴とする。
【発明の効果】
【００１６】
本発明によれば、最適な記録パワーを調整するためのＰＣＡを有する書換え可能型の光ディスクに情報を記録する光ディスク装置において、ＰＣＡの使用済み領域が最内周位置にまで達していた時、最内周においてＯＰＣを行うので、使用可能領域がＰＣＡ内の如何なる位置に形成されているかに関わらず、その光ディスクを装着して記録又は消去動作を開始する時に、ＰＣＡ内の使用可能領域が検出できないことからＯＰＣが実行不能となってしまうことがなく、常に適性に使用可能領域（空きスペース）が確保できてＯＰＣの実行が可能となる。
【発明を実施するための最良の形態】
【００１７】
本発明を実施するための一実施形態について図面を参照して説明する。以下の実施形態では、ＰＣＡを有する書換え可能型光ディスクとしてＤＶＤ−ＲＷ（Ｄｉｇｉｔａｌ  Ｖｅｒｓａｔｉｌｅ  Ｄｉｓｃ−Ｒｅｗｒｉｔａｂｌｅ）を装着し、そのＤＶＤ−ＲＷへと映像情報等の種々の情報が記録可能であって、かつ記録した情報を再生又は消去可能な光ディスク装置に本発明を適用した例について説明する。
【００１８】
図１は、本実施形態の光ディスク装置１の電気的ブロック構成を示す。本実施形態の光ディスク装置１は、ターンテーブル２上に装着した光ディスク３を回転駆動するスピンドルモータ４と、光ピックアップ５を光ディスク３の径方向において移動させるフィードモータ６と、スピンドルモータ４をサーボ制御するスピンドルサーボ回路７と、フィードモータ６を駆動するフィードモータドライブ回路８と、光ピックアップ５からの再生信号に種々の処理を行い後述の制御回路９へ送る信号処理回路１１と、光ピックアップ５のフォーカス及びトラッキング制御を行うフォーカス・トラッキングサーボ回路１２と、スピンドルサーボ回路７、フィードモータドライブ回路８、信号処理回路１１及びフォーカス・トラッキングサーボ回路１２を統括して制御するマイクロコンピュータから成る制御回路９を備えている。
【００１９】
光ピックアップ５をシーク移動するコマンドが制御回路９からフィードモータドライブ回路８へ出力されると、フィードモータ６が回転駆動され、光ピックアップ５がガイドスクリュー１３の回転によって光ディスク３の径方向に移動される。光ピックアップ５の現在位置は、光ピックアップ５が受光する反射レーザ光から読み出す光ディスク３上のアドレスによって認識される。データの記録の無い領域（アドレスの記録の無い領域）における光ピックアップ５の現在位置の認識は、光ディスク３に予め記録されているＬＰＰ（ランドプリピット）を読み出すことにより行われる。
【００２０】
また、光ピックアップ５から照射するレーザ光の強度（記録、再生及び消去パワー）は、制御回路９から信号処理回路１１を介して出力される制御信号によって、光ピックアップ５内の半導体レーザ光源（不図示）の出力が増減することによって調整される。
【００２１】
次に、光ディスク３上の領域と光ピックアップ５の関係について図２を参照して説明する。本実施形態の光ディスク３には、内周側から順にＰＣＡ（パワーキャリブレーション領域）とＤＲＡ（データレコーディング領域）が形成され、ＰＣＡ内の外周寄り位置にはＲＭＡ（レコーディングマネージメント領域）が形成されている。そして、この光ディスク３が、光ディスク装置１に装着された時、光ピックアップ５は、まず最内周位置にある検出スイッチ１４に当接するまで内周へ移動され、初期位置（リゼロ位置）に停止される。この初期位置は、制御回路９によってその後の光ピックアップ５の移動時の原点として認識される。
【００２２】
次に、最適記録パワー調整（ＯＰＣ）時の手順について図３のフローチャートを参照して説明する。ＯＰＣは、光ディスク装置１に新たに光ディスク３が装着された時、光ピックアップ５の動作環境に変化が生じた（温度上昇等）時、光ディスク３上での記録又は再生位置が変化した時等の種々のタイミングで実行される。ＯＰＣが開始されると、制御回路９からフィードモータドライブ回路８へ所定の信号が出力されてフィードモータ６が回転し光ピックアップ５がＰＣＡの最内周位置Ｐ１（図２）へシーク移動され（Ｓ１）、その後、ＰＣＡ内を外周方向（図２の右方向）へシーク移動される（Ｓ２）。そして、試し書きデータが記録された使用済み領域ａｄに到達すると、光ピックアップ５が受光するレーザ光にＲＦ信号が検出されるので、その位置のアドレスを読取り、記憶する（Ｓ３）。このアドレスがＰＣＡの使用済み領域の内周端位置Ｐ２（図２）に相当する。
【００２３】
記憶したアドレス（使用済み領域の内周端位置Ｐ２）が、ＰＣＡの最内周のアドレスと同一であれば（Ｓ４でＹＥＳ）、少なくともＰＣＡの最内周部分は使用済みであることになり、後述の上書きによる最適記録パワーの取得動作を行う。また、記憶したアドレス（使用済み領域の内周端位置）とＰＣＡの最内周アドレスが一致しない場合（Ｓ４でＮＯ）であっても、記憶したアドレス（使用済み領域の内周端位置Ｐ２）とＰＣＡの最内周Ｐ１間の使用可能領域ａｐが１回のＯＰＣを実行するに十分な量でなければ（Ｓ５でＮＯ）、後述の上書きによる最適記録パワーの取得動作を行う。
【００２４】
記憶したアドレス（使用済み領域の内周端位置Ｐ２）とＰＣＡの最内周Ｐ１間の使用可能領域ａｐが１回のＯＰＣを実行するに十分な量である場合（Ｓ５でＹＥＳ）には、その使用可能領域ａｐ内の外周寄り位置（使用済み領域ａｄに隣接する位置）において通常のＯＰＣを実行する（Ｓ６）。このＯＰＣ実行により最適記録パワーが取得できるので、その最適記録パワーに基づいてＤＲＡへの記録、再生及び消去が行われる（Ｓ７）。通常のＯＰＣとは、光ピックアップ５を移動させながら、所定の段階的に異なったレーザパワーでＰＣＡに試し書きデータを記録し、その後記録したデータを再生させた時の信号振幅に基づいて、振幅が最大である時のレーザパワーを最適記録パワーとして決定する処理動作である。
【００２５】
ステップＳ４でＹＥＳ又はステップＳ５でＮＯと判断された時の上書きによる最適記録パワーの取得動作は、光ピックアップ５をＰＣＡの最内周位置Ｐ１に移動した後、外周方向へ移動しながら上記通常のＯＰＣと同様の処理動作を行う（Ｓ８）。そして、この上書きによる最適記録パワーの取得動作によって取得された最適記録パワーに基づいてＤＣイレース電圧を決定し、その電圧によりＤＣイレースを実行する（Ｓ９）。
【００２６】
次に、ＰＣＡ内における使用済み領域ａｄあるいは使用可能領域（空きスペース）ａｐの生成の態様に応じた、最適記録パワー調整（ＯＰＣ）時の処理動作について、図４乃至図６を参照して説明する。図４は、ＰＣＡの略半分程度が使用された光ディスク３におけるＯＰＣ時の動作を示す。使用済み領域ａｄ内のブロックｂｒは各１回のＯＰＣによって使用された領域を示す。ＯＰＣが開始されると、まず、光ピックアップ５がＰＣＡの最内周位置Ｐ１から外周方向へ向けて移動され（図４（ａ））、使用済み領域ａｄの内周端Ｐ２に到達するとＲＦ信号を検出して停止し（図４（ｂ））、一旦１回分のＯＰＣに必要な量だけ内周方向へ移動した後１ブロックｂｒ分の領域を使用してＯＰＣを実行する（図４（ｃ））。ＯＰＣの実行によって使用済み領域ａｄが増加し、使用可能領域ａｐが減少する。そして、最適記録パワーが取得されるので、ＤＲＡへ移動して、その最適記録パワーに基づいて記録、再生及び消去を実行する（図４（ｄ））。
【００２７】
図５は、ＰＣＡの中間部分に使用可能領域（空きスペース）ａｐが生成した状態の光ディスク３におけるＯＰＣ時の動作を示す。ＯＰＣが開始されると、まず、光ピックアップ５がＰＣＡの最内周位置Ｐ１に移動され（図５（ａ））、外周方向へ移動しながら使用済み領域ａｄの内周端Ｐ２を検出しようとするが、この光ディスク３ではＰＣＡの最内周まで使用済みとなっているので、光ピックアップ５は直ちに最内周位置Ｐ１から外周方向へ向かって上書きでＯＰＣを実行する（図５（ｂ））。この上書きＯＰＣ（図５においてａｒで示す）によって最適記録パワーが取得されるので、その最適記録パワーに基づいてＤＣイレース電圧が決定され、ＤＣイレースが実行され、ＰＣＡの全領域が使用可能領域ａｐに再生される（図５（ｃ））。上書きすることによって取得される最適記録パワーは、使用可能領域ａｐを用いて取得される最適記録パワーに比べて精度は多少劣るものの、実際上の支障が生じるほどではなく、充分にＤＣイレースパワー（イレース電圧）を決定するための基準値となることが実験により判明している。
【００２８】
図６は、ＰＣＡのほぼ全領域が使用済の光ディスク３におけるＯＰＣ時の動作を示す。ＯＰＣが開始されると、まず、光ピックアップ５がＰＣＡの最内周位置Ｐ１から外周方向へ向けて移動され、使用済み領域ａｄの内周端Ｐ２に到達するとＲＦ信号を検出して停止する（図６（ａ））。ここで、使用済み領域ａｄの内周端Ｐ２とＰＣＡの最内周Ｐ１との間の使用可能領域ａｐは、１回分のＯＰＣに必要な量に満たないので、光ピックアップ５はＰＣＡの最内周Ｐ１へ戻り、その最内周位置Ｐ１から外周方向へ移動しながら上書きによるＯＰＣを実行する（図６（ｂ））。この上書きＯＰＣによって最適記録パワーが取得されるので、その最適記録パワーに基づいてＤＣイレース電圧が決定され、ＤＣイレースが実行され、ＰＣＡの全領域が使用可能領域ａｐに再生される。この場合も、上書きすることによって取得される最適記録パワーは、実際上充分にＤＣイレースパワー（イレース電圧）を決定するための基準値とできる。なお、この場合の光ディスク３は、ＰＣＡの最内周Ｐ１から外周方向へ向けて１回のＯＰＣを実行するには充分ではないけれども、使用可能領域ａｐが存在するので、ＯＰＣのために上書きされる領域ａｒは、図５で示した光ディスク３に比べて小さな領域で済む。
【００２９】
なお、図５で示したようなＰＣＡの中間部分に使用可能領域ａｐが生成している場合には、光ピックアップ５がＰＣＡの最内周位置Ｐ１で使用可能領域ａｐが検出できなくとも、光ピックアップ５を外周方向へシーク移動させれば、移動の途中で検出することは可能であるが、検出までに時間が掛かる上に、光ディスク装置１に新たに装着された光ディスク３が図６で示したようなＰＣＡのほぼ全領域が使用済みの光ディスク３であった場合には、光ピックアップ５をＰＣＡの全領域に亘ってシーク移動させても、結果的に使用可能領域ａｐは検出されない。
【００３０】
また、光ピックアップ５がＰＣＡの最内周位置Ｐ１で使用可能領域ａｐを検出できなかった場合に、使用可能領域ａｐの検出を効率よく行うために、予め定めたＰＣＡ内の特定の位置（例えば、ＰＣＡの中間位置）、あるいはランダムに選定される位置に光ピックアップ５を移動させ、その移動後の位置付近で使用可能領域ａｐの検出を試みることも考えられるが、その場合にも、光ピックアップ５を移動させる時間が掛かるし、ＰＣＡの使用済み領域ａｄにおける光ピックアップ５の移動は、ＬＰＰ（ランドプリピット）に基づいて行われるので、光ピックアップ５の正確な現在位置認識が容易ではなく、使用可能領域ａｐの円滑な検出は困難である。
【００３１】
これに対して、光ピックアップ５がＰＣＡの最内周位置Ｐ１で使用可能領域ａｐを検出できなかった場合に、本発明では直ちに当該最内周位置Ｐ１で上書きにより最適記録パワーの取得動作を実行するので、存在するか否か不明の使用可能領域ａｐを検出するための時間が不要であって、ＯＰＣを実行するまでの時間が短時間で済む。
【図面の簡単な説明】
【００３２】
【図１】本発明の一実施形態に係る光ディスク装置の電気的ブロック構成を示す図。
【図２】同光ディスク装置に装着する書換え可能型光ディスクの構造と光ピックアップの関係を示す図。
【図３】同光ディスク装置おける最適記録パワー調整のフローチャート。
【図４】ＰＣＡの略半分が使用済みである光ディスクにおけるＯＰＣの処理動作を示す図。
【図５】ＰＣＡの中間部分に使用可能領域が生成された光ディスクにおけるＯＰＣの処理動作を示す図。
【図６】ＰＣＡのほぼ全領域が使用された光ディスクにおけるＯＰＣの処理動作を示す図。
【符号の説明】
【００３３】
１  光ディスク装置
３  光ディスク
５  光ピックアップ
９  制御手段（使用済み領域検出手段、ＤＣイレース要否判断手段、ＤＣイレース手段、最適記録パワー取得手段）
ａｐ  使用可能領域
ａｄ  使用済み領域
ＰＣＡ  パワーキャリブレーション領域
Ｐ１  最内周
Ｐ２  使用済み領域の内周端位置
【図１】
2006236456.tif 000003
【図２】
2006236456.tif 000004
【図３】
2006236456.tif 000005
【図４】
2006236456.tif 000006
【図５】
2006236456.tif 000007
【図６】
2006236456.tif 000008